【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
撮像手段によって撮像される撮像画像を取得する取得手段と、
所定の検知領域又は検知線に基づいて、前記取得手段によって取得される撮像画像に対する解析処理を行う解析手段と、
前記取得手段によって取得される撮像画像に対応する範囲が第１の範囲から第２の範囲に変更されると、前記取得手段によって取得される撮像画像に対応する範囲が変更される前における前記検知領域又は前記検知線に基づいて、前記取得手段によって取得される撮像画像に対応する範囲が変更された後における前記検知領域又は前記検知線を決定する決定手段と
を有することを特徴とする画像処理装置。
【請求項２】
前記決定手段は、
前記取得手段によって取得される撮像画像に対応する範囲が前記第１の範囲から前記第２の範囲に変更されると、前記取得手段によって取得される撮像画像に対応する範囲が変更される前における前記検知領域の頂点のうちの所定の頂点が前記第２の範囲外となり、他の頂点が前記第２の範囲内となると判断した場合、
前記取得手段によって取得される撮像画像に対応する範囲が変更された後における前記検知領域の頂点の数が、前記取得手段によって取得される撮像画像に対応する範囲が変更される前における前記検知領域の頂点の数以下となるように、前記検知領域を決定する
をことを特徴とする請求項１記載の画像処理装置。
【請求項３】
前記決定手段は、
前記取得手段によって取得される撮像画像に対応する範囲が前記第１の範囲から前記第２の範囲に変更されると、前記取得手段によって取得される撮像画像に対応する範囲が変更される前における検知線の端点のうち所定の端点が前記第２の範囲の範囲外となり、他の端点が前記第２の範囲の範囲内となると判断した場合、
前記他の端点を前記第２の範囲の範囲内に移動させた端点と前記所定の端点とによって規定される線を、前記取得手段によって取得される撮像画像に対応する範囲が変更された後における前記検知線の少なくとも一部として決定する
をことを特徴とする請求項１又は２に記載の画像処理装置。
【請求項４】
前記決定手段は、
前記取得手段によって取得される撮像画像に対応する範囲が変更される前における前記検知線が、複数の線を繋げた線である場合であって、前記複数の線のうちの第１の線の端点と第２の線の端点とが前記第２の範囲外となると判断した場合、
前記第１の線と前記第２の範囲の端部との交点と、
前記第２の線と前記第２の範囲の端部との交点と、
前記複数の線の端点のうちの、前記取得手段によって取得される撮像画像に対応する範囲が変更された後も前記第２の範囲内となる線の端点と
により規定される線を、
前記取得手段によって取得される撮像画像に対応する範囲が変更された後における前記検知線の少なくとも一部として決定する
をことを特徴とする請求項１〜３のいずれか１項に記載の画像処理装置。
【請求項５】
前記決定手段は、
前記取得手段によって取得される撮像画像に対応する範囲が前記第１の範囲から前記第２の範囲に変更されると、前記取得手段によって取得される撮像画像に対応する範囲が変更される前における前記検知領域の頂点のうちの所定の頂点が前記第２の範囲外となり、他の頂点が前記第２の範囲内となると判断した場合、
前記所定の頂点の位置に基づく前記第２の範囲内の点と、前記他の頂点とにより規定される領域を、前記取得手段によって取得される撮像画像に対応する範囲が変更された後における前記検知領域として決定する
ことを特徴とする請求項１〜４のいずれか１項に記載の画像処理装置。
【請求項６】
前記取得手段によって取得される撮像画像に対応する範囲が前記第１の範囲から前記第２の範囲に変更されると、前記取得手段によって取得される撮像画像に対応する範囲が変更される前における前記検知領域の頂点又は前記検知線の端部が全て前記第２の範囲外となると前記決定手段によって判断される場合、前記第２の範囲の端部に、前記取得手段によって取得される撮像画像に対応する範囲が変更される前における前記検知領域の頂点又は前記検知線の端部の位置に基づく線を表示させる表示制御部
を有することを特徴とする請求項１〜５のいずれか１項に記載の画像処理装置。
【請求項７】
設定された前記検知領域の位置を示す位置情報を記憶する記憶手段
を有し、
前記決定手段は、
前記取得手段によって取得される撮像画像に対応する範囲が前記第１の範囲から前記第２の範囲に変更される場合において、
前記位置情報に基づく領域の頂点のうちのいずれかの頂点が第１の範囲外であり、前記位置情報に基づく領域の頂点のうちの全ての頂点が第２の範囲内であると判断した場合、
前記位置情報に基づく領域を、前記取得手段によって取得される撮像画像に対応する範囲が変更された後における前記検知領域として決定する
を有することを特徴とする請求項１〜６のいずれか１項に記載の画像処理装置。
【請求項８】
設定された前記検知線の位置を示す位置情報を記憶する記憶手段
を有し、
前記決定手段は、
前記取得手段によって取得される撮像画像に対応する範囲が前記第１の範囲から前記第２の範囲に変更される場合において、
前記位置情報に基づく線の端点のうちのいずれかの端点が第１の範囲外であり、前記位置情報に基づく線の端点のうちの全ての端点が第２の範囲内であると判断した場合、
前記位置情報に基づく線を、前記取得手段によって取得される撮像画像に対応する範囲が変更された後における前記検知線の少なくとも一部として決定する
を有することを特徴とする請求項１〜７のいずれか１項に記載の画像処理装置。
【請求項９】
前記決定手段は、
前記取得手段によって取得される撮像画像に対応する範囲が前記第１の範囲から前記第２の範囲に変更されると、前記取得手段によって取得される撮像画像に対応する範囲が変更される前における前記検知領域の頂点のうちの所定の頂点が前記第２の範囲外となり、他の頂点が前記第２の範囲内となると判断した場合において、
前記取得手段によって取得される撮像画像に対応する範囲が変更される前における前記検知領域と、前記第２の範囲とが重複する領域の頂点の数が所定の数よりも多くなると判断した場合、
前記所定の頂点の位置に基づく前記第２の範囲内の点と、前記他の頂点とにより規定される領域を、前記取得手段によって取得される撮像画像に対応する範囲が変更された後における前記検知領域として決定し、
前記取得手段によって取得される撮像画像に対応する範囲が前記第１の範囲から前記第２の範囲に変更されると、前記取得手段によって取得される撮像画像に対応する範囲が変更される前における前記検知領域の頂点のうちの所定の頂点が前記第２の範囲外となり、他の頂点が前記第２の範囲内となると判断した場合において、
前記取得手段によって取得される撮像画像に対応する範囲が変更される前における前記検知領域と、前記第２の範囲とが重複する領域の頂点の数が所定の数以下となると判断した場合、
前記取得手段によって取得される撮像画像に対応する範囲が変更される前における前記検知領域と、前記第２の範囲とが重複する領域を、前記取得手段によって取得される撮像画像に対応する範囲が変更された後における前記検知領域として決定する
ことを特徴とする請求項１に記載の画像処理装置。
【請求項１０】
前記解析処理は、前記検知領域内における物体を検知する物体検知処理である
ことを特徴とする請求項１〜９のいずれか１項に記載の画像処理装置。
【請求項１１】
前記解析処理は、前記検知線を被写体が通過したことを検知する通過検知処理である
ことを特徴とする請求項１〜１０のいずれか１項に記載の画像処理装置。
【請求項１２】
前記解析処理は、置き去り検知処理、持ち去り検知処理、又は、いたずら検知処理である
ことを特徴とする請求項１〜１１のいずれか１項に記載の画像処理装置。
【請求項１３】
撮像手段によって撮像される撮像画像を取得する取得工程と、
所定の検知領域又は検知線に基づいて、前記取得工程によって取得される撮像画像に対する解析処理を行う解析工程と、
前記取得工程によって取得される撮像画像に対応する範囲が第１の範囲から第２の範囲に変更されると、前記取得工程によって取得される撮像画像に対応する範囲が変更される前における前記検知領域又は前記検知線に基づいて、前記取得工程によって取得される撮像画像に対応する範囲が変更された後における前記検知領域又は前記検知線を決定する決定工程と
を有することを特徴とする画像処理方法。
【請求項１４】
請求項１〜１３のいずれか１項に記載の画像処理装置の各手段としてコンピュータを機能させることを特徴とするプログラム。
【手続補正２】
【補正対象書類名】明細書
【補正対象項目名】００１４
【補正方法】変更
【補正の内容】
【００１４】
本発明にかかる画像処理装置は、例えば、撮像手段によって撮像される撮像画像を取得する取得手段と、所定の検知領域又は検知線に基づいて、前記取得手段によって取得される撮像画像に対する解析処理を行う解析手段と、前記取得手段によって取得される撮像画像に対応する範囲が第１の範囲から第２の範囲に変更されると、前記取得手段によって取得される撮像画像に対応する範囲が変更される前における前記検知領域又は前記検知線に基づいて、前記取得手段によって取得される撮像画像に対応する範囲が変更された後における前記検知領域又は前記検知線を決定する決定手段とを有する。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】